(57)【特許請求の範囲】
【請求項１】
回転体を備えたプッシャーと、プッシャーで押出される滑走体ＫＴを備えたゲーム用フロア遊具であって、
プッシャーは、
（１）少なくとも、前記プッシャーのシャフトにおける一端部には把持用のグリップ部を形成したこと、
（２）シャフト他端の先端部には、シャフトと直交する方向に回転体を回転自在に回転軸支する軸支部を設けて形成したこと、
（３）回転体の中央部に、滑走体ＫＴにおける胴部と当接する谷間部を形成したこと、
滑走体ＫＴは、内部にゴルフボールを転動自在に収納したボール組立体であって、少なくとも、胴部、底部の各部が下記の様に形成されてなり、
（４）胴部は筒状に形成され、ボール組立体の底部と上部の中間部にあって、該胴部の内径をゴルフボールより大径で形成したこと、
（５）底部は胴部の下端に設けられ、該底部に備えた底面の中央部にゴルフボール直径より小径の底穴を設けてゴルフボールの１部分を突出させ、且つ、外周縁部が斜め上に向かって、円弧状に折り返す形状としたスライダーを該底部に敷設すると共に、該スライダーの該外周縁を摺動部として形成したこと、
以上（１）〜（３）の構成を備えたプッシャーと、（４）及び（５）の構成を備えた滑走体ＫＴからなるゲーム用フロア遊具。
【請求項２】
シャフトは、ジョイント部で互いに連結された複数個のパイプで構成され、且つ、前記各パイプの各々を互いに左右方向に捩じる操作に基づいて、パイプ間がロック又はロック解除され、シャフトを所望長さに伸縮自在に設定できる様に形成したこと、
を特徴とする請求項１に記載のプッシャー及び滑走体ＫＴからなるゲーム用フロア遊具。
【請求項３】
シャフトの先端部に設ける回転体が一対のボールであって、前記一対のボールをシャフトの両側に直交配置する態様で回転軸支し、該一対のボールで形成される球面間を谷間部としたこと、
を特徴とする請求項１又は２記載のプッシャー及び滑走体ＫＴからなるゲーム用フロア遊具。
【請求項４】
シャフトの先端部に設ける回転体がローラーであって、ローラーの中央部を所定半径で湾曲状に形成すると共に、ローラーをシャフトに直交する配置態様で回転軸支し、中央部を谷間部としたこと、
を特徴とする請求項１又は２に記載のプッシャー及び滑走体ＫＴからなるゲーム用フロア遊具
。
【請求項５】
フロア遊具のターゲットであって、ターゲットは少なくとも樹脂素材により滑止機能を備えて滑止シートとして形成され、滑止シートをターゲットとしてフロアの所望箇所に貼着形成したことを特徴とするターゲットを、更に備えた請求項１〜４の何れかに記載のゲーム用フロア遊具。
【請求項６】
フロア遊具のターゲットであって、少なくとも樹脂素材により四角形に形成したシートが下記の様に形成してなる。
（１）四角形シートのシート表面には、少なくとも１つのサークル円を形成したこと、
（２）更に四角形シートには、樹脂素材により滑止機能を備えた滑止シートを用いて所定寸法の円形に形成すると共に、該円形の滑止シートを前記四角形シート表面の中央部に貼着形成したこと、
（３）前記円形の滑止シートを備えた四角形シート全体をターゲットとして、該四角形ターゲットの上から粘着テープを用いて、直接フロアの所望箇所に貼着形成したこと、を特徴とするターゲットを、更に備えた請求項１〜４の何れかに記載のゲーム用フロア遊具。
【発明の詳細な説明】
【技術分野】
【０００１】
本願は、本出願人によるボール組立体を滑走体ＫＴとして活用し、フロアで実際にゲームを行うのに必要とされる滑走体ＫＴを打撃するプッシャー、及びターゲット（標的）を加えた３点セットの構成を狙いとし、少なくとも２点セット、又は３点セットで併用実施した際に発明効果が遺憾無く発揮されるゲーム用フロア遊具である。
【背景技術】
【０００２】
現在の高齢化社会にあって、家庭、老人ホーム、施設、避難所等の狭いフロアを利用して、老若男女が体を動かしつつ手軽にボールゲームを楽しむための特にフロア遊具が強く要望され乍、現在に至るまで、最適遊具は皆無な状況である。そこで、本願発明は特に高齢化社会における現状の環境に鑑みて、老若男女が気軽に楽しめる最適なフロアゲーム用の遊具を提供すると共に、実際に該遊具を用いた数種の具体的なフロア競技や、フロアゲームの提案を課題とする。
本出願人は、先にゴルフボールを用いた「ゲーム用ボール組立体」（本願では、該ゲーム用ボール組立体のことを単にボール組立体、又は「滑走体ＫＴ」と改称して説明することもある）の発明を行ない、特願２０１３−５４８４４（出願：平成２５年３月１８日）として特許出願中（なお、８月２７日現在：特許査定）である。
即ち、本願は前記先願におけるボール組立体の特性を活用して、該ボール組立体を滑走体ＫＴとして用いると共に、先願が未解決であった残り２つのフロアゲーム時に必要とされる「プッシャーＰＳ」、及び「ターゲット（標的）ＴＡ」の２課題の解消を更に課題とする。
【０００３】
ところで、ゴルフボールｇｂ（本願では、ゴルフボールｇｂのことを単にボールｇｂと称して説明することもある）構成要素としたフロア遊具目的の特許公知文献中、本願に類似の文献は、少なくとも、本出願人の検索結果では検索されなかった。そこで、フロアでのパット練習用のターゲット（標的）を目的とした公知技術について、以下に参照記載する。
例えば、特許文献１における特許第３９９５１６０号公報「ゴルフ用パター練習ボール器具」に関しては、特に、同特許文献１からの引用図を図１０に参照図示し該引用図１０（なお、本願図面符合と区別するため０を付した）に基づいて、先ず説明する。前記特許文献１の（図０３）、（図０４）の各図には、専用練習カップの実施形態が示され該中央部には薄型強力磁石０６を用いたパター練習カップと、内部にゴルフボール０４を収納した筒状本体下部０１に、ドーナツ状磁性体金属板０５が配設され、練習用具ボール器具として併用実施する際の構成が開示されている。
【０００４】
一方、特許文献２にはパット練習用具マットとして夫々上り傾斜と、下り傾斜双方のパット練習ができる様に、マット側における一方の厚みを薄く、他方を厚くして傾斜を設けると共に、マット４の両端にホール穴３を設けたフロアでのパット練習用具マットが開示されている。
【先行技術文献】
【特許文献】
【０００５】
【特許文献１】特許第３９９５１６０号公報
【特許文献２】特開２００６−３４６３９８号公報
【非特許文献】
【０００６】
【非特許文献１】『ぺタボード』と称するゲームがある。「楽レク楽トレ」通販総合カタログ  レクリエーション用品／トレーニング用品（羽立工業株式会社２０１２−２０１３：保存版略番）、３８頁には（専用の『キュー』と『ディスク』を使った室内ディスクゲーム）」及び、インターネット検索画面に「ぺタボード  キュー」と入力検索すると、「ぺタボード基本セット」として本願の図９に図面掲載するような『キュー』、『ディスク』と称するゲーム内容や用具の紹介画面が掲載されている。
【０００７】
然るに、前記特許文献１にはゴルフボールに対して屋内でのゲームや、パター練習時の仮想ホールに見立てたターゲットとして、ボール側に設けたドーナツ状磁性体金属板０５に対してターゲット側に薄型強力磁石０６を用い、ホールの穴代りに双方を磁力吸着させる様にした公知技術が示されている。更に、類似構成に基づくものが特許文献第２７２６８２１号公報にも開示されている。
また、前記特許文献２にはゴルフボールを用いて所謂パット練習を下りと、上り傾斜で行える様にした傾斜付きマット４の両端部に、夫々ホール穴３を設けた帯状マットをフロアに敷設形成し、パット練習が行える様にしたものが開示されている。
【０００８】
さて、本願発明では前記先願のゲーム用ボール組立体を「滑走体ＫＴ」として活用すると共に、本願は、課題克服した３点セット（滑走体ＫＴ込）をフロア遊具ＦＹとして用い、後述するような３点セット中の２点セットによるプッシャーＰＳと滑走体ＫＴを用いて、例えば、図３（３の１）、（３の２）、（３の３）のフロアでの滑走リレー競技や、本願がフロアゴルフと称している図８のフロアゲーム等の実現を課題とする。そして、先願から引用した図１の滑走体ＫＴは、図１ａ〜図１ｃの構造図の様に組立体内部にボールｇｂを転動自在に収納形成した滑走体ＫＴである。
滑走体ＫＴは、組立体内部でのボールの転がり摩擦、及び底部に敷設したスライダー外周縁摺動部が、フロア滑走時の摺動摩擦抵抗で適宜制動される様にした構造を特徴とする。該構造としたことでゴルフボール単体に比し、ボール転がり具合が１／１０以下に制動抑制されると共に、滑走体ＫＴをゲーム用とする際にフロア滑走時の段差課題等の諸課題を良好に解消克服したものである(本願図１の引用図及び説明内容を参照)。
しかし、滑走体ＫＴを活用した図３の滑走リレー、滑走コンテスト、及び図８のフロアゴルフゲーム等を実現するには、前記残り２つの課題を解消克服することが不可欠的に重要課題となる。
【０００９】
以上に説明した様に、本願が最終目的とするものは先願と本願発明との併用実施により、前記各種のフロア遊技や、フロアゲームを実現することであり、該実現のためには残り２つの課題を解消克服する必要がある。即ち、本願における残り２つの課題は、第１課題「プッシャーＰＳ」、及び第２課題「ターゲットＴＡ」である。
前記残りの２大課題を解消克服した結果を踏まえ、所謂、プッシャーＰＳ、ターゲットＴＡ、及び滑走体ＫＴの３点をセット、又は２セットとして併用実施した際に、それらの相乗効果の集大成として前記先願、及び、本願発明の併用実施効果が遺憾無く発揮され、本願が狙いとする各種フロア遊技や、フロアゲームの具現化が図れるのである。
本願発明に基づく、前記説明のプッシャーＰＳ、ターゲットＴＡ、及び滑走体ＫＴの３点セットを用いたゲーム用フロア遊具のトータルシステムを纏めて図示したのが図２である。
【００１０】
◆本願発明フロア遊具が狙いとする代表的・フロア競技・フロアゲームは、下記の通りである（本願では、フロア競技、フロアゴルフ等を含めてフロアゲームと総称して説明することもある）。
（１）滑走リレー（図３ａ）…プッシャーＰＳ／滑走体ＫＴの２点セットを活用。
（２）Ｕターン滑走リレー（図３ｂ）…プッシャー／滑走体ＫＴの２点セットを活用。
（３）滑走コンテスト（図３ｃ）…プッシャー／滑走体ＫＴの２点セットを活用。
（４）フロアゴルフ（図８ａ、ｂ）…プッシャー／ターゲットＴＡ／滑走体ＫＴ込の３点セット。
（５）カーリング形式（図８ｃ）…プッシャー／ターゲットＴＡ／滑走体ＫＴ込の３点セット。
そして、家庭、体育館、老人ホーム、施設、避難所等でのフロアを利用して、老若男女が体を動かし、心身をリフレッシュしつつ、手軽に楽しめる新規性のあるユニークな各種フロア遊技及びフロアゲームを行うためのフロア遊具の提唱提案を課題とし意図する。
【発明の概要】
【発明が解決しようとする課題】
【００１１】
本願が狙いとする各種のフロアゲームを実現するための残り２つの課題は、下記の通りである
第１課題「プッシャーＰＳ」…滑走体ＫＴをプッシュ（押出し）するための課題。
（１の１）課題：回転体に一対のボールを軸支したボール式プッシャーＰＳ及び谷間部の形成。
（１の２）課題：回転体に湾曲ローラーを軸支したロラー式プッシャーＰＳ及び谷間部の形成。
（１の３）課題：シャフト長をプレーヤーの伸長に合せて自在に伸縮調整する伸縮シャフト式。
滑走体ＫＴの連続プッシュ滑走と関連して、前記谷間部のカーブコントロール機能を課題とし解消を図る。
第２課題「ターゲットＴＡ」…フロアゲームに際し、プッシャーＰＳプッシュ時の標的。
◆先ず、第１課題「プッシャーＰＳ」について説明する。
老人ホームの高齢者、車椅子を利用する障害者、及び学童らを含む老若男女を問わず、本願発明に基づく前記各種フロア遊技やフロアゲームを楽しんで貰うには、例えゲームの初心者であっても、簡単容易に滑走体ＫＴをフロアに打撃滑走させるための用具が先ず、最初に必要である。
そこで、図１に示した滑走体ＫＴを滑走させる最も単純簡単な方法は、シャフト付き用具により先端フェースで滑走体ＫＴをプッシュ（押出）滑走させる方法である。本願発明では、図１に示した滑走体ＫＴの胴部７に当接させて図２、図３の様にシャフト先端部に回転体を軸支した斬新なプッシャー構成を課題とする。具体的には、一対のゴルフボール式、又は湾曲状ローラー式とした構成により、図４〜図６に詳細構成を示す様に一対のボールや、湾曲状ローラーで谷間部（フェース）を形成し、軸支した回転体をフロアに軽快なタッチで回転させ乍、滑走体ＫＴの胴部７をプッシュする“機能性”“遊び心的面白さ”“ゲーム性”に優れた画期的プッシャーＰＳの提供を意図する。
【００１２】
本願発明では、滑走体ＫＴをプッシュする専用用具を「プッシャーＰＳ」と命名して説明する。プッシャーＰＳは、本願ゲーム用フロア遊具の成否を左右する重要なキーパーツである。特に、子どもから高齢者に至るまで、誰にでも使い勝手が良く、ゲームが楽しめ、遊具性が高く、且つ、安全性を第１に配慮した可愛い系のユニークなプッシャーＰＳの具現化を意図する。結論的に、本願がゲーム用フロア遊具のプッシャーＰＳとして提案するのが、図４〜図６に示すフェース部にゴルフボール、ローラーの回転体を回転軸支した遊び心から発想したユニークプッシャーＰＳである。
此処で、プッシャーＰＳを発明するに至った経緯について参照記載する。
本出願人は、ゲーム用フロア遊具の試作や検討段階で目的とするフロア遊具の製品形態や用具の使い方等に関して、多くの関係者と意見交換を行うため施設等に出向いた。そして、ゲーム対象の高齢者、障害者、子ども達を含む多くの人達を対象に、実際にフロアゴルフ等のゲームを一緒に行い、フィールドテストを重ねて来た。その結果から、特にプッシャーＰＳ用具として反映させるべき課題や条件として、概略下記の様な結論を得た。経緯を含めて先ず、概要を列記説明する。
【００１３】
◆専用プッシャーＰＳとして、反映させるべき諸条件の概要を列記すると下記の通りである。
・プッシュ式のプッシャーＰＳを用いれば、初心者、車椅子の儘、子どもでも、滑走体ＫＴをターゲットＴＡに向けた打撃滑走が図２、図３の様な要領により、誰にでも簡単に行えること。
・しかし、健常者や、ゴルファー達は、押出式よりも図２ａの様なパット打撃を好む人が多い。
・プレーヤー対象者の運動量を増やし遊具効果をより高めるには、フロア競技を取り入れること。
・プレーヤーが駆け乍、滑走体ＫＴを連続的にプッシュし、且つプッシャーＰＳでカーブコントロールできれば、図３（３の１）の滑走リレー、（３の２）のＵターン滑走リレーの競技が実現可能となること。
・特に高齢者は、移動時に多くのプレーヤーがプッシャーＰＳを杖代わりにすること（図２ｈ）。
・危険防止上、尖った部分は絶対形成せず、重量：２００ｇ前後と軽量化を図ること。
・シャフト長は、園児（年長組）や低学年用は最短：６０ｃｍ〜、大人用は：９５ｃｍ位が最適。
＊即ち、固定式シャフト長とした際は、Ｓ型、Ｍ型、Ｌ型の少なくとも、３種類位のライナップ
が必要となる。しかし、本願発明のプレーヤーＰＳではシャフト部に伸縮式シャフトを図６（実施例３）の適用で該課題克服の目途が立ったこと。
＊一方、一対ボールを軸支構成した態様から本発明のボール式プッシャーＰＳでは、一対のボールを図２ｃ、図２ｄの様にボールを横並びにしてプッシュ（押出し）式、ボールを図２ａの様に縦並びにして（打撃方向並び）打撃式、とする両用兼用式のショットを満足するプッシャーＰＳ（図２、図３）としたこと。
【００１４】
◆前記表題「発明が解決しょうとする課題」と関連して本願発明が課題解消した内容を併記する。
特に、本願では図３（３の１）、（３の２）に掲げた滑走体ＫＴとプッシャーＰＳを用いたフロア滑走リレー、取分け図３（３の２）Ｕターン滑走リレーを実現するために、プッシャーＰＳによるカーブコントロール機能を課題とした。
連続プッシュによるカーブコントロール機能の具体的に課題解消を図ったプッシャーＰＳ構成について説明する。
プッシャーＰＳは先端部に、ボール、及び湾曲状のローラーの回転体を軸支した形成とし、更にシャフト部には２段式アルミパイプでジョイント接合した伸縮式シャフトを用い、次に列記する都合３つの改良点を具備した発明である。それらは、
（１）一対のボールを回転軸支し、該一対ボールの球面間に形成される谷間部で連続プッシュする構成により、滑走体ＫＴのカーブコントロール課題をボール式（図４）で、先ず、課題解消したこと。
【００１５】
（２）ローラー中央部を湾曲状に加工した湾曲ローラーを回転軸支し、該湾曲状ローラー中央部における谷間部をプッシャーとする構成として、前記ボール式と同様ローラー式（図５）でもカーブコントロール課題を解消した発明（図５）である。
（３）プッシャーＰＳのシャフト部は、シャフトの中間部にジョイントを備えて、シャフト長を伸縮自在に調節できる様にすると共に、シャフトの他端には把持用のグリップを備えて構成した発明（図６）である。
更に、プッシャーＰＳの伸縮式シャフトは、例えば、２段パイプ式で形成した伸縮自在機能のシャフトを用いて構成により、本願発明におけるプッシャーＰＳは、子どもから大人に至るプレーヤーが１つのプッシャーＰＳにより、各プレーヤーの伸長に合せてシャフト長を調節できるので、経済的にも大いに機能効果が発揮され、且つ伸縮自在機能の該シャフトとしたことで、２段伸縮式で実施した場合にも６０％以下に圧縮できる点、輸送コスト、移動携帯時、保管時に大いに前記発明の便利効果が発揮される。
詳しくは後述するが、該プッシャーＰＳに関して多くの試作実験や前記フィールドテストを重ねた結果から、結論的に前記諸条件を満足する専用プッシャーＰＳとして製品化提案するのが図４〜図６の実施例１〜実施例３に示すプッシャーＰＳである。
【００１６】
特に一対のゴルフボールを図４の様に回転軸支して用いる場合は、滑走体ＫＴにおけるカラフルなカラーボールが滑走回転される共に、シャフト先端に軸支された一対のカラフルボールが同時に回転され、取分け、図３に例示した滑走体ＫＴをバトン代わりにしたリレー式の競技においては、カラフルで綺麗な都合３個のカラーボールｇｂが同時連動的に回転されるので、“面白く”“見栄えよく”プレーヤーの老若男女に喜ばれ、娯楽性や競技性の効果が飛躍的に高められる。
そして、シャフトとして、ジョイント部を有する多段伸縮パイプ型のシャフトを用いて形成した結果、子どもから大人に至るまでプレーヤーの身長に合せたシャフト設定が可能となり、さらに滑走体ＫＴのプッシュ式、及び、パッティング式兼用の機能に対応可能としたものである。
更に、高齢者プレーヤーがゲーム移動時に杖代わりに利用する場合は、シャフトの上下を逆さにして用いている使用例を図２ｈに示す。そして、カラフルなボールをシャフト先端に取付けて、外観的にも可愛く、専用プッシャーＰＳとしたのが、図４の実施例１、図５の実施例２、図６の実施例３である。次に、「ターゲットＴＡ（標的）」について説明する。
【００１７】
◆第２課題「ターゲットＴＡ」…プッシャーＰＳのターゲットＴＡ（標的）について説明する。
次に、先願発明の滑走体ＫＴを用いてゲーム用を具現化するための残りの１つの課題は、滑走体ＫＴが標的に命中滑走した際に、滑走体ＫＴの摺動部を滑止シートＳＳに吸着させて停止させる標的課題である。
一方、フロアゴルフ用等のターゲットＴＡとしては、図１に示したゲームボール組立体を滑走体ＫＴとして本願で活用した最大の着眼点は、底部に備えて摺動部を形成するスライダーの構造である。即ち、前記本願の第２課題「ターゲット（標的）」である発明ヒントは、図２の様にフロアに敷設した滑止シートＳＳ上に、摺動部を備えた滑走体ＫＴを滑走通過させた際に、滑止シートＳＳの吸着効果で滑走体ＫＴが“ピタッと”停止される効果に注目して、ヒントを得て滑走体ＫＴのターゲットＴＡとするに至った発明である。
【課題を解決するための手段】
【００１８】
前記課題解決のため、本願発明のフロア用遊具は、プッシャー、ターゲット、滑走体ＫＴの３つの構成要素を備えて、プッシャーは回転体を備え、滑走体ＫＴを押出すためのゲーム用遊具であって、以下の第1発明〜第７発明の様に形成される。
第１発明のプッシャーは、
（１）少なくとも、シャフトの一端部には把持用のグリップ部を形成したこと、
（２）シャフト他端の先端部に、シャフトと直交する方向に前記回転体を自在に回転軸支する軸支部を設けて形成したこと、
（３）回転体の中央部に、滑走体ＫＴにおける胴部と当接する谷間部を形成したこと、
以上（１）〜（３）の各項を具備したことを特徴とするプッシャーからなるゲーム用フロア遊具（図４の実施例１、図５の実施例２、図６の実施例３）である。
【００１９】
第２発明は、前記第1発明における前記プッシャーは、
シャフトが、ジョイント部で互いに連結された複数個のパイプで形成され、且つ、各パイプ間のジョイント部を左右方向に捩じる操作に基づいて、パイプ間がロック又はロック解除され、シャフトが所望長さに伸縮自在に設定できる様に形成したこと、
を特徴とするプッシャーからなるゲーム用フロア遊具（図４、図５、図６の各実施例）である。
【００２０】
第３発明は、前記第1発明又は第２発明における前記プッシャーは、
シャフトの先端部に設ける回転体が一対のゴルフボールであって、２個のゴルフボールをシャフトの両側に直交配置する態様で回転軸支し、該一対のゴルフボールで形成される球面間を谷間部としたこと、
を特徴とするプッシャーからなるゲーム用フロア遊具（図４、図６の各実施例）。
【００２１】
第４発明は、前記第１発明又は第２発明における前記プッシャーは、
シャフトの先端部に設ける回転体がローラーであって、ローラーの中央部を所定半径で湾曲状に形成すると共に、ローラーをシャフトに直交する配置態様で回転軸支し、中央部を谷間部としたこと、
を特徴とするプッシャーからなるゲーム用フロア遊具（図５の実施例２、）である。
【００２２】
第５発明は、前記第１発明〜第４発明の何れかに記載するターゲットであって、
少なくとも、樹脂素材により滑止機能を備えて滑止シートとして形成され、該滑止シートをターゲットとしてフロアの所望箇所に貼着形成したこと、
を特徴とするフロア遊具（図２、図８の実施例４）である。
【００２３】
第６発明は、前記第１発明〜第４発明の何れかに記載するターゲットであって、
少なくとも樹脂素材により四角形に形成したシートが下記の様に形成してなる。
（１）四角形シートのシート表面には、少なくとも１つのサークル円線を形成したこと、
（２）更に四角形シートには、樹脂素材により滑止機能を備えた滑止シートを用いて所定寸法の円形に形成すると共に、該円形の滑止シートを前記四角形シート表面の中央部に貼着形成したこと、
（３）前記円形の滑止シートを備えた四角形シート全体をターゲットとして、該四角形ターゲットの部の上から粘着テープを用いて、直接フロアの所望箇所に貼着形成したこと、を特徴とするゲーム用フロア遊具（図２、図８の実施例４）。
を特徴とするターゲットを、更に備える請求項１〜４の何れかに記載のゲーム用フロア遊具。
【００２４】
第７発明は、前記第１発明〜第６発明の何れかに記載する滑走体ＫＴであって、
滑走体ＫＴは、内部にゴルフボールを転動自在に収納したボール組立体であって、少なくとも、胴部、底部の各部が下記の様に形成されてなる。
（１）胴部は筒状に形成され、ボール組立体の底部と上部の中間部にあって、該胴部の内径をゴルフボールより大径で形成したこと、
（２）底部は胴部の下端に設けられ、該底部に備えた底面の中央部にゴルフボール直径より小径の底穴を設けてゴルフボールの１部分を突出させ、且つ、該底部は前記胴部の外径より大径として外周縁部が斜め上に向かって、円弧状に折り返す形状としたスライダーを該底部に敷設すると共に、該スライダーの該外周縁を摺動部として形成したこと、以上（１）〜（２）の各項を具備して形成した滑走体ＫＴを用いて形成したこと、
を特徴とするプッシャー、及びターゲットを備えて形成したゲーム用フロア遊具（図２、図３、図８）。
【発明の効果】
【００２５】
◆本願が第１課題とした「プッシャーＰＳ（押出し）」効果の説明。
本願では、明細書で各実施例や各種フロア遊技、及びフロアゲームに関して、具体的に詳細説明したように、本出願人による先願発明の「ゲーム用ボール組立体」を滑走体ＫＴとして活用し、更に、本願発明で課題を解消克服した第１課題「プッシャーＰＳ」、第２課題「ターゲットＴＡ」を
加えた３点セット、又は、２点セットを用いることで、本願発明のフロア遊具が狙いとした多種多様のフロアゲームが楽しく行える画期的なフロア用遊具を提供する。
代表的なフロア競技、及びフロアゲームを列記する下記の通りである。
（１）滑走リレー（図３）…プッシャーＰＳ／滑走体ＫＴの２点セットの利用！
（２）Ｕターン滑走リレー（図３）…プッシャーＰＳ／滑走体ＫＴの２点セットの利用！
（３）滑走コンテスト（図３）…プッシャーＰＳ／滑走体ＫＴの２点セット、及び他遊具利用！
（４）フロアゴルフ（図８）…プッシャー／ターゲットＴＡ／滑走体ＫＴ込の３点セットの利用！
（５）カーリング形式（図８ｃ）…プッシャー／ターゲットＴＡ／滑走体ＫＴ込の３点セットの利用！
そして、家庭（家族）、老人ホーム、障害者、施設、避難所等でのフロアを利用して、老若男女が体を動かし、心身をリフレッシュしつつ、正に、園児・学童・高齢者〜を含む老若男女が、・体育館・イベント会場・施設等のフロアに大勢の人が一堂に集まって、ミニ運動会形式で楽しめる新規性のある画期的なフロアゲーム用のフロア遊具を提唱提案する。
【００２６】
本願発明の効果・特徴については明細書中に適時、各実施例と共に記載した通りである。
特に、本願では前記滑走体ＫＴを活用してフロア競技・フロアゲームを実現するため、滑走体ＫＴを駆け乍・連続的に・カーブコントロールするためのプッシャーＰＳ課題として、下記項を掲げ課題克服した。
（１）一対のボールを回転軸支し、該一対ボールの球面間に形成される谷間部で滑走体ＫＴを連続プッシュする構成として、先ず、ボール式プッシャーＰＳでカーブコントロール課題を解消克服したこと（図４）。
（２）中央部を湾曲状にした湾曲ローラーを回転軸支し、該ローラー中央湾曲部を滑走体ＫＴの胴部より大径に形成した谷間部で、滑走体ＫＴを当接プッシャーする構成とし、前記ボール式と同様な機能をローラー式でも備え、カーブコントロール機能課題を解消克服したこと（図５）。
（３）更に、プッシャーＰＳシャフト部はシャフトの中間部にジョイントを備えて、シャフト長を伸縮自在に調節できる様にすると共に、シャフトの他端には把持用のグリップを備えて構成した発明（図６）により、子どもから大人に至るまで同一の伸縮シャフト式プッシャーＰＳにより、良好にプッシャーＰＳ課題を克服したこと。
そして、該伸縮シャフトの適用により、輸送、移動、保管時のプッシャーＰＳの扱い不便課題を
含めて解消克服し、良好に改良した。
【００２７】
◆本願の第２課題「ターゲットＴＡ（滑止シートＳＳ）」効果の説明。
・滑走体ＫＴにおけるターゲットＴＡは、滑走体ＫＴの該底面摺動部の構造的特徴と、滑止シートＳＳの作用効果に着眼して行った発明である。即ち、滑走体ＫＴにおけるスライダー摺動部がフロアに敷設貼着した滑止シート上を滑走通過した際に、該摺動部が滑止シートの滑止効果で制動されて“ピタッと”停止される効果にヒントを得た発明である。
・具体的な実施例を図２ｋ、図７、図８に示したように、樹脂素材で形成した滑止機能を有する滑止シートＳＳを一部に備えた、四角形滑止付ターゲットＴＡを再剥離用粘着テープ１ｚでフロアの所要部に直接貼着する極めて、簡単、且つ、低コスト形成により、優れた機能効果が発揮されて初期の発明目的が発揮される(図２、図７、図８参照)発明である。
・即ち、最も単純な構成としては図２ｍに示したように、例えば、円形にした滑止シートをターゲットＴＡとして、再剥離粘着テープ１ｚを用いて所望フロアに貼着形成するのみでターゲットＴＡ（標的）の機能目的が果せるのである。
それにより、前記特許文献１に開示されているような磁力、又は、ホール穴等を一切要することなく、特に滑走体ＫＴには何らの仕掛けを付加する必要なく、良好にターゲットＴＡ（標的）の目的が果せるのであり、滑走体ＫＴがターゲットＴＡに命中滑走された際には、恰も、フロア面にホール穴を形成した如き効果が発揮され、滑走体ＫＴがターゲットＴＡに“ピタッと”停止される特徴がある（図２、図７、図８、図９参照）。
【００２８】
◆滑走体ＫＴをフロアで滑走させる最もシンプルで誰にでも手軽にできる方法は、プッシュであり、図２ｄに示したように、プレーヤー５が車椅子の儘であっても滑走体ＫＴのプッシュ滑走ができる。体育館、家庭、老人ホーム、施設、避難所等の狭いフロアを利用して、老若男女が、体を動かし、心身をリフレッシュしつつ、和気藹々手軽に楽しめる新規性のあるユニークなフロアゴルフＦＧゲームを初め、図３の滑走リレー競技、滑走コンテスト等、新規性のあるユニークなフロアゲームを提唱提案を意図する。
・前記本願発明に基づくユニークなプッシャーＰＳを用いて滑走体ＫＴ押出式で図２、図３、図８の様に各種多彩なゲームが子ども、高齢者、車椅子に乗った儘でも快適に楽しくゲームが行える。そして、本願に基づくフロアゴルフＦＧやカーリングゲーム形式、リレー競技は、野外での運動活動が困難な避難所の人達、老人ホーム、車椅子、施設住いの人達を含む、老若男女を初めとして、オジー・オバーと孫達コミュニケーションを図りしつつ、和気藹々、手軽に屋内で体を動かし、併せて、ストレス発散、運動不足を補い、心身のリフレッシュが図れる。更に、ゲームに頭を使うことにより認知症予防効果への期待もでき、新規性を備えた画期的フロア遊具の提唱を目的意図する(図２、図３、図８のゲーム実施例)。
【図面の簡単な説明】
【００２９】
【図１】特願２０１３−０５４８４４から引用し、滑走体ＫＴとして併用した実施例である。
【図２】本願遊具のプッシャーＰＳ、ターゲットＴＡ、及び滑走体ＫＴの練習情況を示す。
【図３】フロア競技の滑走リレー、Ｕターン滑走リレー、滑走コンテストの実施例である。
【図４】プッシャー実施例１、一対のボール式による軸支構成、滑走体ＫＴとの態様情況を示す。
【図５】プッシャー実施例２、ローラー式軸支構成、構成部品、滑走体ＫＴとの態様情況を示す。
【図６】プッシャー実施例３、伸縮シャフトの構成、伸縮構造の説明図である。
【図７】ターゲット実施例４、樹脂素材で形成され滑止機能を有する滑止シートの実施例を示す。
【図８】滑走体ＫＴ、プッシャー、ターゲットの３点セットを用いたフロアゴルフ、及びカーリングゲームの実施例である。
【図９】従来、ぺタボードとして実施されているゲームに本願のターゲット、プッシャーを併用実施した実施例である。
【図１０】特許文献１における開示技術を説明するための引用図面である。
【発明を実施するための形態】
【００３０】
本願が狙いとする目的は先願発明におけるボール組立体を滑走体ＫＴとして用いると共に、本願発明における第１課題「プッシャーＰＳ」、第２課題「ターゲットＴＡ（標的）」を解消克服した所謂２点、又は３点セットの併用実施により、各種のフロア遊技やフロアゴルフＦＧ等を実現することである。此処で、本願発明のゲーム用フロア遊具と併用実施するための主構成要素をなす（１）ゴルフボールｇｂ、（２）滑走体ＫＴ：図１、（３）ターゲットＴＡ・滑止シートＳＳ：図２、及び再剥離粘着テープ１ｚの主構成要素について図１、図２を参照しつつ関連的に説明する。
◆最初に、本願主構成要素の（１）公認ゴルフボールｇｂの規格概要について説明する。
ボール直径：Φ４２．６７ｍｍ（１．６２インチ）以上、重さ：４５．９３ｇ（１．６２オンス）以下、と規定されている。構造的にはワンピース、ツーピース、スリーピース型等の種類があり、図１ｂ、図１ｃ実施例のゴルフボールｇｂの断面図は、スリーピース型の例を示している。該ゴルフボールｇｂは、近年、美しく輝くカラフルなカラーボールが普及し、コスト的にも安価で入手できる様になった。
図1ａの様に、滑走体ＫＴに収納したボールｇｂをフロアに転動させた場合は、綺麗なカラフルな色彩ボールがコロコロ転動するので、ゲームが一層快適に楽しめて、本フロア遊具の付加価値が高められる結果になる。
【００３１】
◆次に、本願主構成要素の滑走体ＫＴについて図１を参照しつつ説明する。
本出願人は、先に特願２０１３−０５４８４４としてゴルフボールを用いたゲーム用ボール組立体の発明を行い特許出願中である。
図１は、前記先願から引用掲載した「ゲーム用ボール組立体ＧＢＫ」の代表図である。図１ａ〜図１ｃを同時参照しつつ本願に用いる滑走体ＫＴについて概要説明する。図１ａは、滑走体ＫＴの外観斜視図、図１ｂ、図１ｃは図１におけるＡ一Ａ線上の断面図を夫々示し、両図の相違点はスライダー６ａにおける底面摺動部６ｂが、図１ｂでは円環形状、図１ｃでは平坦面状に形成された違いの断面図であり、何れも機能目的を同様に果せる。因みに、実施例における滑走体ＫＴの各部寸法は、図１ａに記載通りであり、重量：略７５ｇである。
【００３２】
滑走体ＫＴは、図１ｂに示す様に、底部６、胴部７、上部８、及びボールｇｂのボール組立体から構成され、本実施例では底部６のスライダー６ａと胴部７の内周胴７ａとを一体として成形した実施例である。スライダー６ａ中央部にはボールより小径穴６ｃが形成され、内周胴７ａの上部内周には嵌合凸７ｂが設けられている。組立時は、内周胴７ａの内側にボールを挿入した状態から、図示のような押リング８ａを内周胴７ａの上部から、挿着することで押リング８ａ外周側に形成した凸部８ｂが、前記内周胴７ａに設けた嵌合凸部７ｂに対して図示の様に、７ｂ＆８ｂで嵌合ロック組立されて収納ボールｇｂの飛出しが防止される。
一方、組立体に収納されたボールｇｂは、図１ｂ、図１ｃにおける断面図の様に、上下及び横方向に対し±０．５位の遊びガタを備え、滑走体ＫＴがフロアで打撃滑走させた際は図示の様にスライダー底穴６ｃから、１部突出されたボールがフロアに転動されて該転動ボールによって、滑走体ＫＴ本体が牽引滑走される様にした仕組み構成である。
【００３３】
そして、収納ボールは押リング８ａの内周縁Ｌ１、Ｒ１での転動摩擦、及び、底面摺動部６ｂがフロアとの摺動摩擦抵抗で適宜制動される結果、ボール単体に対して１／１０以下に減速される様にした構成した滑走体ＫＴである。即ち、ボール単体ではフロアでの転がりが良過ぎる余り、フロアゲームに適さない重要課題があったが本滑走体ＫＴでは、ゴルフボールｇｂにおける転動課題を良好に解消克服し、特に本願発明が目的とするゲーム用フロア遊具に併用実施するのに、正に適材適所的な滑走体ＫＴである。
更に、図１における滑走体ＫＴの胴部７（被覆筒）は、エラストマー（熱可塑性エラストマー：合成ゴム）素材で加工した弾力性を備えてカバーされ、該胴部にダンパーのクッション効果を備えた形成により、プッシャーＰＳ等で強打した場合にも該衝撃が吸収され、胴部７の保護と共にパット打撃時の感触も良好なものとなる。一方、上部には押リング８ａを設けてゴルフボールｇｂの飛出しが防止される。
そして、底部６には直径：Φ７０ｍｍの大径のスライダー６ａが設けられ、滑走体ＫＴのパター打撃時の転倒(横転)防止や安定滑走が図られると共に、図示の様に外周縁部６ｅが上部外周に向けて拡がる円弧状に形成されている。更に、スライダー６ａ周縁部を円弧形状６ｅに形成したことにより、滑走体ＫＴの滑走時に障壁となるフロア、床面の接合部及び畳縁（たたみべり）における段差部の乗越え課題が解消され、本願が狙いとする各種フロア遊技や、フロアゲーム時の課題を克服した滑走体ＫＴである。
【００３４】
◆次に、本願主構成要素である図２ｋの四角形滑止付ターゲットＴＡ、及び図２ｍの円形滑止ターゲットＴＡについて説明する。
・初めに、図２ｍのＴＡ円形滑止ターゲットから説明する。なお、２ｋの四角形滑止付ターゲットＴＡ、及び図２ｍの円形滑止ターゲットＴＡは、詳細を図７と共に後述する滑止シートＳＳをフロアに敷設貼着した態様を夫々示す。
本願発明に用いるターゲットＴＡは、樹脂素材で滑止機能を備えて形成した滑止シート（ＰＶＣ製）を用い、好ましい実施例としては所定寸法の例えば、Φ１５０で円形して該滑止シートの裏面側に両面粘着テープを用いて、所望位置に該円形滑止ターゲットＴＡを貼着する様にした実施例４である。
そして、円形に形成した滑止シートＳＳの表面には、例えば図示の様に１×打数（ルール・ホールインワン）、及びサークル円線１ａ（Φ１５０：赤線）を油性ペイントマーカー（例えば、株式会社：パイロットコーポレーション製）を用いて印字形成するこができる。なお、滑止シートＳＳがメッシュ状シートであっても大きい目の字体であれば、印字はできるのである。なお、１×打数と記載したルール印字の内容は、サークル円線内に滑走体ＫＴが停止した状態を真上から見た際に、ボールの一部分がサークル円線１ａの内側が、否かで判定され、その結果、一打で命中滑走した場合は、１点（ホールインワン）を意味し、一方、３打を要した際は、３点を意味するゲームルールである。
【００３５】
さて、図２ｍは前記の様に形成した円形滑止ターゲットＴＡをフロアに敷設貼着した使用状態の態様を示す。なお、着脱を繰り返し乍使用する場合は、円形滑止ターゲットＴＡ（Φ１５０）の裏面側に再剥離粘着テープ１ｚを用いて敷設貼着するか、再剥離用の片面粘着テープを円環状（メンディングテープ等）用いて、円周縁部の上側から貼着するように実施すると望ましい。
なお、滑止シートＳＳ単体を用いてターゲットＴＡとする場合は、図２ｍの様に円形滑止ターゲットＴＡとして用いることで、サークル円線１ａ全体がターゲットであって滑止シートがはみ出した
無駄な遊び部分で滑走体ＫＴが制動される恐れがなく、単純構成にして良好に目的が果せる特徴効果が発揮される形態である。
【００３６】
◆更に、本願主構成要素である図２ｋの四角形滑止付ターゲットＴＡ、及び関連的に再剥離粘着テープ１ｚについて説明する。
本願発明のターゲットＴＡの好ましい実施例の四角形滑止付ターゲットＴＡについて、フロアに敷設貼着した図２ｋに基づいて説明する。なお四角形滑止付ターゲットＴＡに関する２層構造等の構成の仕方等の詳細説明は図７と共に後述する。
さて、図２ｋにおける四角形滑止付ターゲットＴＡは、図示の様に四角形ＰＶＣシート４ａの中央部分に、樹脂製素材（ＰＶＣ）の滑止機能を備えてメッシュ状に形成された滑止シート（例：Φ１５０）を用いて、前記図２ｍと同様に形成した円形滑止ターゲットＴＡが貼着したもので、塗潰したメッシュ状部分が滑止シート領域（円内部：Φ１５０）を示している。
因みに、図２ｋの四角形滑止付ターゲットＴＡにおける外径寸法Ｌは、四角形ＰＶＣシート部分は、家庭用：３２０×３２０で、体育館、施設向け等広いフロア用は１０００×１０００ｍｍとして実施（図７の実施例４）している。そして、四角形滑止付ターゲットＴＡのシート表面部には図示の様にサークル円線１ａ、外サークル円線１ｂ、ゲームルール：１×打数、２×打数、フロアゴルフ等の文字等を３色でシルク印刷して実施している。
【００３７】
◆更に、本願主構成要素である再剥離粘着テープ１ｚで直接貼着する効果について説明する。
図２ｋに例示した四角形滑止付ターゲットＴＡは、フロアの所望位置に対して四角形シートの四辺縁を上側から、再剥離粘着テープ１ｚを用いてフロアに直接貼着した際の特徴効果を列記すると下記の通りである。
・フロアに対し、四角形滑止付ターゲットを直線的に直接貼着する方法は、小学高学年レベルの生徒達にも敷設貼着の作業が行え、且つ四角形ＰＶＣシートの一部に滑止シートＳＳを備えた実施例４の四角形滑止付ターゲットＴＡは、詳細を後述説明する様に構成が簡単で、且つフロアでの敷設貼着が容易であり、見栄え、機能性、コスト性に優れ、本願の滑走体ＫＴ用のターゲットとして、フロア遊具の初期発明目的が、良好、且つ効果的に果せる。
【００３８】
・該ターゲットＴＡの貼着用粘着テープとしては、事務用品等に広く市販されている再剥離用粘着テープ｛例えば、ＣＡＴ．ＮＯ．８１０−３−１８  ３Ｍ  Ｓｃｏｔｃｈ：商標登録・住友スリーエム（株）のメンディングテープ：１８ｍｍ｝を用いて貼着実施した際は、繰返しの脱着ができて、フロアを汚す心配が無く、踏んだり、掃除機を掛けたりしても剥離される恐れがなく、不使用時にも邪魔になる等の不便や支障課題がなく、フロアに敷設貼着した儘放置しても安心である。
・ターゲットＴＡ用の滑止シートＳＳの厚さ：０．５ｍｍ前後の薄手滑止シートＳＳの縁部を前記極薄の粘片面テープで貼着した際に、フロア４と滑止シートＳＳ間に若干の段差ができるが、前記片面テープで上側から直接貼着した場合は、貼り合せ面がテーパー状に橋渡し形成されて、滑走体ＫＴが接合の段差部を円滑スムースに滑走される大きな特長がある。
【００３９】
◆図２は、以上で説明した本願発明の前記３点セットを用いたフロア用遊具の打撃・滑走の練習情況を示した本願が狙いとする集大成的イラスト図解図のトータルシステムである。
さて、本願発明の滑止シートＳＳの吸着効果を活用した「ターゲットＴＡ（標的）」、「プッシャーＰＳ」、前記“滑走体ＫＴ”を含めた所謂３点セットの概要や要点は以上の説明により明らかになったものと思われる。
次に、体育館や施設等の広いフロアで８名のプレーヤー５が各自各様のプレースタイルにより、前記３点セットに基づいて、フロアに敷設貼着した本願発明の図２ｋの四角形滑止付ターゲットＴＡ、及び図２ｍの円形ターゲットＴＡを目掛けて滑走体ＫＴに対し、本願発明のプッシャーＰＳ、及びゴルフ用のパター、更には用具を用いることなく、ターゲットＴＡ目掛けて、打撃、プッシュ（押出し）、手足でショットしている滑走の練習状況を示した図２ａ〜図２ｈについて説明する。
図２は、本願発明のトータルシステムを示す。８名のショット状況はイラスト図を一見するのみで明らかに理解できるとものと思われるが、各プレーヤー毎のショット状況を簡単に列記説明する。
【００４０】
（ａ）プレーヤー５は、プッシャーＰＳで軸支ボールを縦並び（軸支方向）にしての打撃態様！
（ｂ）の５は、ローラー式プッシャーＰＳによる標準使用でのプッシュ態様！
（ｃ）の５は、プッシャーＰＳで軸支ボールを横並びにして標準使用でのプッシュ態様！
（ｄ）のオバー５は、車椅子の儘でプッシャーＰＳによる標準使用でのプッシュ態様！
（ｅ）の５は、用具を用いず爪先ショットでの滑走体ＫＴプッシュ態様！
（ｆ）の５は、用具を用いずハンドショットでの滑走体ＫＴプッシュ態様！
（ｇ）の５は、ゴルフ用のマイパターでの滑走体ＫＴの打撃ショット態様！
（ｈ）の５のオジーは、移動時や休憩時にプッシャーＰＳを逆さにして（ボール転がり防止の為）杖代わりに用いている態様！
を夫々示す。
【００４１】
◆次に「発明を実施するための形態」として本願の目的に掲げた、フロア競技の実施例に関し、図３（３の１）滑走リレー、（３の２）Ｕターン滑走リレー、（３の３）滑走コンテスト競技に関し、「滑走体ＫＴ」及び「プッシャーＰＳ」の２点セットを用いたフロア競技について説明する。
本フロア競技では、図３のイラスト図を一見して、分るようなフロアでのミニ運動会競技が楽しめるよう本願発明の３点セット遊具を計画的に、創意・工夫、試行錯誤を繰返しながら、本願は各種試作実験を積み重ねて来た発明の集大成として、出願に至ったもので経緯のものである。
即ち、学童は３個のボールを追っ掛けながら全力滑走し、高齢者は歩行、又は急ぎ足程度で無理すること無く、フル完歩リレーを目標に滑走リレーを含むフロアの３種〜７種競技は、老人ホーム等の高齢者向けには、“正に参加させることに意義あり！”とするフロア遊具である。
◆一方、年長園児や学童達には、５種競技前後のフロアの５種前後のフロア競技やゲームを設定して楽しむことができ、スペース的には体育館や施設等のようなフロア広場が、あれば申し分なく、１０〜５０ｍスペースがあれば下記３種のフロアゲームが楽しめ、スペースや人数に応じて滑走距離等を適宜に設定して、下記滑走リレーなどのミニ運動競技を楽しむことができる。
・図３の（３の１）は、プッシャーＰＳと滑走体ＫＴを用いた直線滑走リレー！
・図３の（３の２）は、プッシャーＰＳと滑走体ＫＴを用いたＵターンリレー！
・図３の（３の３）は、プッシャーＰＳと滑走体ＫＴを用いた滑走コンテスト！
・その他、図６ａ、図６ｂにおけるフロアゴルフ形式、図６ｃのカーリング形式など！
【００４２】
＜図３における滑走リレーのルール概説＞
＊何れのリレー形式でも滑走体ＫＴをバトン代わりとして、ＳＬ超えで次の走者にタッチする！
＊腕は原則プッシュした儘とし（前後の打撃行為は失格）、腕を突出した儘の滑走を基本とする！
＊次の滑走者は、プッシャーを把持して滑走用意し、滑走終了の走者はプッシャーを二人目の走者にプッシャーＰＳを渡す！
＊例えば、ゴルフボールは４色を用いて滑走体ＫＴ、及びプッシャーＰＳを色揃えして製品化し、各組の走者は色分けした各用具を用いてゲームを行うことができる！
なお、図３に示した（３の１）、（３の２）滑走リレーは何れも、バトン代わりの滑走体ＫＴの受け渡しは、スタートラインＳＬ超で行い、滑走体ＫＴのバトンは１走⇒２走⇒３走⇒…Ｎ走者のアンカーまで滑走体ＫＴを引き継ぎ滑走させ、最後に各組のＮ走者のアンカーが、滑走体ＫＴをスタートラインＳＬ上に通過させた組が、優勝となる。
【００４３】
◆「発明を実施するための形態」に掲げたフロア競技の実施例図３（３の３）滑走コンテスト競技について説明する。
図３（３の３）は、プッシャーＰＳ、パター、更には用具を用いることなく、滑走体ＫＴをフロアに滑走させて滑走距離を競う、滑走コンテスト｛ゴルフのドライビングコンテスト（ドラコン）に相当｝について説明する。
例えば、図３（３の３）の（１）〜（６）に示す各プレーヤー５は、滑走体ＫＴをより遠くへと、滑走させたるめ、各人各様の打撃スタイルでスタンスしている状況を示している。
図３（３の３）は、６名のプレーヤー５の各々が（１）ボール式プッシャーＰＳでのプッシュ！（２）ボール式プッシャーＰＳでの打撃！（３）ロール式プッシャーＰＳでのプッシュ！（４）爪先ショットでの滑走！（５）ハンドショットでの滑走！（６）マイパターを用いての打撃！による打撃滑走に夫々挑んでいる状況である。
・ところで、図３ｄに示す台座３ｂ付の三角（順番）旗３ａは、ゲーム担当係が、各プレーヤー５が打撃した滑走体ＫＴの停止位置に、設置するための判定マーカ旗である。
・（３の２）における６種遊技は、全参加者が順次（１）〜（６）の遊技を行い、全六種遊技の滑走コンテストの順位を集計してＴＯＰ賞を決めたり、初心者には１〜３ｍのハンディを与える方法としては、予め所定前方から打撃させる等のローカルルールを適用して行うと、一層楽しく盛り上がったものとなる。
【実施例１】
【００４４】
先ず「発明が解決しようとする課題」に掲げた（１の１）課題：回転体に一対のゴルフボールを軸支したボール式、及び谷間部の形成…について説明する。
プッシャーＰＳの実施例１について図４ａ〜図４ｈの各図を同時参照しつつ説明する。図４の各図は、シャフト用パイプ２の先端部に軸支する回転体として一対のボールｇｂ１、ｇｂ２を用いて、軸支形成したボール式のプッシャーＰＳ実施例１である。そして、図４ａ〜図４ｃはパイプ２先端部に回転体を直接軸支した実施例１であり、図４ａは各構成部品、図４ｂは組立後の状態、図４ｃは滑走体ＫＴを含めた使用時の態様を示した斜視図である。パイプ２は図６の実施例３と共に後述説明する伸縮式シャフトにおける２段目のパイプ２、の先端部を図示したもので、本実施例の２段目は、外径：Φ１６のアルミパイプである。
パイプ２の先端部における回転軸支部の加工手順について説明する。パイプ２の先端部に軸支穴２ａを加工する前に、先ず、空洞パイプ先端に補強用（真鍮製等）ブッシング２ｂを圧入固着し、その後に、回転軸２ｃ：Φ６（真鍮製）用の回転穴２ａをパイプ２に直交して、Φ６．１のドリルで貫通穴２ａを加工形成する。
【００４５】
そして、一対のゴルフボールｇｂ１、ｇｂ２に予め加工した圧入穴ｇ３：Φ６(球心を通る穴)に対し、例えば、最初にｇｂ１側に回転軸２ｃの一端側を圧入加工する。前記した様にボール直径は略Φ４３であり、ボール内部は略合成ゴムで形成されているのでドリル切削による穴加工は容易である。本実施例では、圧入穴ｇ３の深さを略４０ｍｍで加工し、圧入穴ｇ３が貫通されない一杯の深さで加工実施している。回転軸２ｃの圧入端部には予め接着剤を塗って一対のゴルフボールを回転軸２ｃに対して、確実に固着される様に加工実施している。（合成ゴム製のため接着性もよい）
そして、前記ボールｇｂ１側に回転軸２ｃを固着した態様から、他端からパイプ２の貫通穴２ａに通し、他端部にも前記同様に接着剤を塗布後、ボールｇｂ２の圧入穴ｇ３に回転軸２ｃを圧入する。そして、接着剤が硬化する前にボールの文字位置（ロゴマーク）や、回転具合の確認、及びパイプ２とボールのギャップ間隔等を適宜調整しつつ、接着硬化させる。
図４ｂは、前記工程を経て組立されたプッシャーＰＳの外観を示し、更に、図４ｃは実際にフロアで滑走体ＫＴをプッシュしている態様の外観斜視図である。
【００４６】
次に、一対のボールｇｂ１、ｇｂ２の軸支部を図４ｄに図示する様にホルダー３を用いて、該一対のボールｇｂ１、ｇｂ２に対し、両側から回転軸支する様に構成したプッシャーＰＳ構造の他の実施例について、図４ｄ〜図４ｆに基づいて説明する。
本実施例では、図４ｄに示すようなホルダー３を用い、一対のボールｇｂ１、ｇｂ２に予め回転軸３ｃ用の貫通穴３ｇを形成し、回転軸３ｃには一端に係止部３ｄ、他端にタップ３ｅを加工する。直径：Φ６、軸支部の有効長Ｌ：９３ｍｍとして真鍮で加工し、前記ホルダー３の両端に備えた軸支穴３ｂの外側から、タップ３ｅ側を挿入する。そして、回転軸３ｃの表面に接着剤を塗布し、一対のボールｇｂ１、ｇｂ２の各貫通穴３ｇに回転軸３ｃを挿し込み、更にホルダー３他端の軸支穴３ｂに回転軸３ｃを挿入して、タップ穴３ｅにセットネジ３ｆをネジ止めする。次に、ホルダー３の連結部３ａをパイプ２先端の内径嵌合部２ｄに圧入固着して、組み上がった状態が図３ｆのプッシャーＰＳの他の実施例構造である。
【００４７】
以上に説明した一対のボールｇｂ１、ｇｂ２を回転体として用い、パイプ２（シャフト）先端部に回転自在、且つ、シャフトの両側に軸支形成して直交配置した一対のゴルフボールｇｂ１、ｇｂ２と、滑走体ＫＴの胴部７に対する、プッシュ時の当接状況の相互関係について図面と共に図解説明する。先ず、前記図１に示した胴部７の直径：Φ５６ｍｍである。図４ｂ、図４ｆの各図に示した一点鎖線の円弧線は、図１ｃにおける胴部７の円周ｇ５を表示したもので、本願発明では両図に実線で示した円弧矢印ｇ４の球面間を谷間部ｇ４と称して説明する。
一対のボールｇｂ１、ｇｂ２の球面間と、滑走体ＫＴにおける胴部７との当接（対峙）関係は平面図で示した図４ｇ、図４ｈの図解図により一層明確に理解されるものと思われる。図４ｇ、及び図４ｈに示す太矢印の先端は前記谷間部における胴部７との当接（対峙）位置を示すが、図４ｇ、及び図４ｈでは、ボールｇｂ１、ｇｂ２の球面間にパイプ２（Φ１６）を挿むか、直接接触かの構造差異に起因して、各々の矢印間隔ｇ４は当然図示の様に異なったものとなる。しかし、どちらでも発明の目的は果せるのである。
【００４８】
図４ｇ、図４ｈのどちらが滑走体ＫＴをより安定したプッシュ対応で滑走に適したボール軸支配置であるかは、前記カーブコントロールの操作性の有利性絡みの問いであるが、間隔（谷間部）の広い方が、幾何学的にも有利であることは明らかでる。
そして、滑走体ＫＴをプッシャーＰＳで連続プッシュしつつ、図４ｇに示す様にパイプ２（シャフト）を矢印の様に左右方向に振る操作により、回転軸支した一対のボールを転動させ乍、滑走体ＫＴを左右方向に自在にカーブコントロールさせ得ることは幾何学的にも自明な原理である。
図４に基づいた実施例１の以上の説明により、一対のゴルフボールの回転体を軸支構成したプッシャーＰＳの特徴、軸支構造、滑走体ＫＴとのプッシュ対峙、及び球面間の谷間部ｇ４、及びカーブコントロール操作等に関する理解ができたものと思われる。
なお、以上に示したボール式プッシャーＰＳの実施例の図４ｇ、図４ｈでは何れも一対のボールｇ１、ｇ２を回転軸２ｃ、３ｃに圧入固着して回転軸が回転する構成の実施例を示したが、その逆に、回転軸を固定してボールｇ１、ｇ２が別々に回転するように構成してもよく、その場合、前記カーブコントロールの操作が一層し易くなる。
さて、前記図４と共に説明したプッシャーＰＳの実施例１は、シャフト先端部に回転軸支した一対のゴルフボールで形成される球面間を谷間部として、該谷間部で滑走体ＫＴの胴部をプッシュ（押出し）する様にした回転ボール式のプッシャーＰＳとした構成であった。構成要部や、組立方法、使い方、及び２段式アルミパイプを用いた伸縮シャフトの効果特徴等を含め、ゴルフボールを用いた実施例１の構成要点は、図４の説明により充分理解されたものと思われる。
次に、回転体にローラーを用いたローラー式のプッシャーＰＳの実施例２について説明する。
【実施例２】
【００４９】
「発明が解決しようとする課題」に掲げた（１の２）課題：回転体に湾曲ローラーを軸支したローラー式、及び谷間部の形成…について説明する。
図５は、ボールｇｂに置換えて湾曲型として形成したローラーを回転体に用いて、ローラー式プッシャーＰＳに構成した実施例２である。シャフト、即ち、パイプ２の先端部に対して直交軸支する回転体として結論的には、図５ｆ、図５ｇに示すように中央部を湾曲状に形成したローラーを用い、前記図４の実施例１における一対のボールと同様な機能目的が果せる様にしたローラー式のプッシャーＰＳ実施例２である。
然るに、本願発明では回転軸支したローラーの中央部が滑走体ＫＴの胴部に対して、安定良好に当接させるため、滑走体ＫＴの胴部との当接部として所定寸法Ｒによる湾曲部を図５ｃの様に形成する。該湾曲部を本願ではローラー式の谷間部Ｒ４と称して説明し、ローラー式回転体におけるプッシャーＰＳの課題解消を図った実施例２である。
【００５０】
ローラー式プッシャーＰＳの実施例２は、基本的には、図５に示す様に前記図４と共に説明した実施例１における回転体要部のボール式を、ローラー式に置換えた回転体の違いのみであり、ローラー式プッシャーＰＳの基本構成は前記図４の実施例１の説明を参照し、更に図５の各図面を掲載順に一見するのみで構成内容は、十分明らかに理解されるものと思われる。
ローラー式プッシャーの実施例２の構成に関して概要を簡単に説明する。図５ａ〜図５ｄの各図は回転体をローラー式とした実施例２の各構成部品、及び軸支工程を示し、図５ｅ、及び図５ｆはローラー回転体部を組立した態様、図５ｇはローラー式プッシャーＰＳで滑走体ＫＴをプッシュしている使用態様を夫々示す。図５ａのホルダー４は、ローラー回転体の軸支用であり、図示の形状で両側に支軸穴４ｂやパイプ２（シャフト）との連結部４ａを備えて、樹脂製、又はスチール製で形成されている。
図５ｂはローラーＲ１を示し、本実施例のローラーＲ１、及びローラーＲ２と共に外径：Φ４３（ゴルフボールと同一直径）、幅：９０として中心部に貫通穴Ｒ３が回転軸４ｃに嵌合される穴径で加工されている、又、ローラーＲ１、Ｒ２は樹脂素材を用いて内部を空洞成形としてもよい。
【００５１】
さて、図５ｅは図５ｂのフラット型のローラーＲ１を用いて、先ず、貫通穴Ｒ３に回転軸４ｃを挿入してホルダー４に回転軸支し、更に連結部４ａをパイプ２に圧入固着して図５ｇの様に使用態様とする。ここで、回転体に図５ｅを用いてローラー式プッシャーＰＳを構成した態様での使用上の課題について説明する。
ここで、ローラーの円筒面が図５ｂの様なフラット型ローラーＲ１を軸支し、回転体とした図５ｅのローラー式プッシャーＰＳを構成した場合の実施結果について説明する。特に、図５ｅのローラー式プッシャーＰＳで、図５ｋに示す様に滑走体ＫＴを連続的にプッシュしつつ、歩行、又は駆け乍、例えば、図３（３の１）の滑走リレーに充当した場合は、胴部７に当接する摺動部分が左右方向に常時移動されて不安定になり、高齢者や子ども達には滑走操作が困難となる。即ち、図３（３の２）Ｕターン滑走リレーにおけるカーブコントロール操作は殆ど無理な課題がある。
そこで、ローラーを回転体としたプッシャーＰＳの前記課題を解消克服したのが、図５ｃ、図５ｆ、図５ｇに示す湾曲型ローラーＲ２を用いたローラー式プッシャーＰＳである。
【００５２】
図５ｃは、実施例の湾曲型ローラーＲ２の単体を示し、図５ｆ、図５ｇと共に説明する。ローラーＲ２は図示の様に中央部の半径＞Ｒ３０（３０ｍｍより大）の加工寸法で湾曲状に形成する。一方、図５ｆに示す一点鎖線Ｒ５は前記図１ｃに示した滑走体ＫＴの胴部７の直径：Φ５６ｍｍの円周線を示し、前記図１の滑走体ＫＴの胴部７の半径：２８ｍｍより大径のＲ３０以上の半径寸法により湾曲部を加工形成することを示している。
即ち、図５ｆの一点鎖線の胴部円周Ｒ５に重ねて示した湾曲部の谷間部Ｒ４は、前記図４ｂ、図４ｆにおけるボール式プッシャーの谷間部ｇ４に相当する。そして、ローラー式プッシャーＰＳの使用態様を図５ｇに示す様に、滑走体ＫＴの胴部７に対して当接してプッシュ対峙する部分が湾曲型ローラー式における谷間部Ｒ４となる。前記図４のボール式プッシャーＰＳの谷間部ｇ４に相当する。本願では、本実施例２のローラーＲ２の様に湾曲状の形成部を谷間部Ｒ４と称して説明する。
【００５３】
そして、滑走体ＫＴをローラー式プッシャーＰＳにより図５ｇの使用態様で連続プッシュしつつ、パイプ２（シャフト）を矢印の左右方向に首振りする操作に伴い、回転軸支した湾曲型ローラーＲ２が転動しつつ、滑走体ＫＴを左右方向に対して、自在にカーブコントロールされる作動は自明な理である。而して、ローラー式プッシャーＰＳを用いた場合にも、例えば、図３ｋのような使用態様で、図３（３の２）におけるＵターン滑走リレー時の目的が良好に果せることは明らかである。
ところで、図５ｈ、図５ｋは以上に説明したローラー式プッシャーＰＳの全体を示し、全体を略１／１０に縮小図示したもので、図５ｈは伸長時の態様、図５ｋは圧縮態様を夫々示す。更に、伸縮シャフト機構に関しては次の図６実施例３の伸縮シャフトと共に詳細を説明する。
【実施例３】
【００５４】
「発明が解決しようとする課題」に掲げた（１の３）課題：シャフト長をプレーヤーの伸長に合せて自在に伸縮調整する伸縮シャフトについて説明する。
さて、本願発明では前記（１の３）の課題を解消する構成として、前記図４の実施例１、及び図５の実施例３におけるプッシャーＰＳ用のシャフトとして、パイプ２の先端部のみを拡大図示し、該パイプ先端部に一対のボールｇｂ１、ｇｂ２や、湾曲型ローラーＲ２を回転軸支したパイプ２は、実は、図６ａの平面図に示す様に２本のアルミパイプ１、パイプ２に対し、ジョイントｊｏで接合形成した２段式パイプにおけるパイプ２の先端部のみを拡大図示したものであった。
図６ａ、図６ｂは前記図４のボール式プッシャーＰＳに２段式パイプのパイプ１、パイプ２を用いて構成した伸縮式シャフトの伸縮態様を示した実施例１の平面図である。因みに参考記載すると、本願に活用するシャフト部は、実は、１００円ショップ店でフロアモップ用“伸縮式ステック”の商品名で販売されている製品を本願プッシャーＰＳの伸縮シャフトに適用したもので、正に、機能、構造、品質、コスト的に適材適所的に、ピタリの構成部品である。
【００５５】
プッシャーＰＳの伸縮式シャフト（ステック）の構成や各部寸法について図６ａ、図６ｂの平面図を参照しつつ、実施例１について更に説明する。図６ａは一杯に伸長した態様を示し、全長Ｌ：９５２で、図６ｂは圧縮した態様Ｌ：５６５（５９％に圧縮）を夫々示す。なお、前記図５中の図５ｈ、図５ｋのローラー式プッシャーＰＳも同様な寸法諸元である。
前記図４の実施例１における伸縮式シャフトで構成したボール式プッシャーＰＳに関し、図６ａ、図６ｂを参照しつつ概要を説明する。プッシャーＰＳのシャフト部は２本のアルミパイプ１、２と、パイプ間には連結用の樹脂製ジョイントｊｐ、及びパイプ１の端部には把持用の樹脂製グリップｐｇを備えて形成されている。因みに、各構成部品の外径寸法は、グリップの外径ｐｇ：Φ２４、パイプ１の外径：Φ１９、ジョイントｊｐの外径：Φ２３、パイプ２の外径：Φ１６である。
そして、ジョイントｊｐ、及びグリップｐｇはパイプ１側に固着形成され、ジョイントｊｐはストッパーも兼ねている。
伸縮時の操作方法は、例えば、右手でジョイント部やパイプ１部を握り、左手でパイプ１部を握って右手を時計方向（右方向）に捩じると、パイプ１、２間がロック状態に固定される。一方、右手を反時計方向（左方向）に捩じると、パイプ１、２間のロックが解除されてフリーになり、パイプ１、２間が所定長さに亘って伸縮自在に操作ができる。そこで、シャフト部を所望長さに調整し、再度右手を時計方向に捩じってプッシャーＰＳのシャフト長を設定し、ジョイント連結部を確り固定後に使用態様とする。
【００５６】
ところで、シャフト部の伸縮構造自体は本願とは直接係わる発明ではないが、該シャフト部はプッシャーＰＳ用における主要部品であり、パイプ２側の他端部に内蔵固着されたロック及び該解除の構造部に関し、本出願人は“一体どうなっているの”との好奇心と興味が喚起され、パイプ２端部に組み込まれたロック及び該解除の機構部品を解体し、パイプ２端部に内蔵された構成部品及び操作時の機能構造を分解調査した。
その分解結果から判明したのが、参照添付する図解説明の図６ｃ〜図６ｍである。パイプ２の端部に内蔵埋設された興味ある伸縮構造体ｊ１の仕組みに関し、構造要点を簡単に参照説明する。先ず、図６ｃは図面の左右に、図６ａのパイプ１とパイプ２とを左右に配置（ジョイントｊｏを除く）して、中央部に塗潰して図示したのが伸縮構造体ｊ１である。両パイプ１、２の内径、外径の寸法関係を記載図示した。樹脂製の伸縮構造体ｊ１は組立状態では、図６ｇ、図６ｋの様に樹脂製のコア部ｊ５が勿論セットされた状態で、図示の圧入部ｊ４がパイプ２端部の内径：Φ１４に圧入固着されている。
【００５７】
そこで、伸縮構造体ｊ１の構造的特徴としては、伸縮構造体ｊ１に一体形成された偏心軸ｊ２とストッパーｊ３、及び偏心軸ｊ２に係合されるコア可動部ｊ５の部品を示したのが、図６ｄ、図６ｅ、図６ｆの３図面である。そして、複雑な外観構造で形成されたコア可動部におけるパイプ１、２の捩じり操作に伴う係合絡みの作動情況を示したのが図６ｇ、図６ｋである。即ち、前記パイプ１、２を握った右手を時計方向に捩じり操作した際は、図６ｇの様に偏心軸ｊ２に係合されたコア部ｊ５（可動部）が、伸縮構造体ｊ１の外周部からΔｔ宛、突出される如く構成されている。
その操作に伴い、図６ｃのパイプ２：Φ１７の外周壁からパイプ１、２の前記捩じり力に対応した圧接力により、外側に向かって図６ｇの様にコア可動部ｊ５がパイプ１の内周壁を圧接し、パイプ１、２間がロック状態に係合される。
そして、前記パイプ握り態様から、逆に右手を反時計方向に捩じり操作した伸縮部の結合態様を示したのが図６ｋである。伸縮構造体ｊ１の偏心軸ｊ２、ストッパーｊ３、及びコア部ｊ５の係合作動に伴って、図６ｋの様にコア可動部ｊ５の突出部が図示の様に伸縮構造体ｊ１の円筒表面から引っ込められ、パイプ１、２間のロックが解除されて伸縮操作がフリーとなる。
しかし、本願発明に基づくプッシャーＰＳシャフト部は、伸縮式に限定するものではなく、１本のストレート型シャフトを用いても勿論目的は果せる。然るに、前記した様にプッシャーＰＳのシャフト部を伸縮自在式の構成にすることで、園児から大人に至るまで一つのプッシャーＰＳで、身長に合せてシャフト長を調整したり、輸送、携帯移動、保管時等にも大きな便利効果が発揮される。
一方、伸縮式シャフトは２段パイプ式の実施例を示したが、３段式のものを用いてもよく、その場合、圧縮長を更に縮小することができ。
【実施例４】
【００５８】
「発明が解決しようとする課題」に掲げた第２課題「ターゲットＴＡ」…フロアゲームに際し、プッシャーＰＳプッシュ時の標的について、図７の具体的な実施例と共に説明する。
本願発明が狙いとする代表的フロアゲームは「フロアゴルフ」や「カーリング」等である。しかし、前記滑走体ＫＴ、及びプッシャーＰＳを用いて実際にゲームを行うには前記ターゲットＴＡが必要不可欠である。
本願は、前記した様に図１に示した滑走体ＫＴの底部６のスライダー６ａ底面に備えた摺動部６ｂが、前記図２で説明したフロアに敷設貼着した滑止シートＳＳ上に滑走した際に、吸着される作用効果を活用した発明である。
即ち、図２ｋの四角形滑止付ターゲットＴＡの実施例４（２）、及び図２ｍの円形滑止ターゲットＴＡの実施例４（１）をフロアに敷設貼着した態様として、滑走体ＫＴの摺動部６ｂを前記図２ｋや、図２ｍのターゲットＴＡ上に滑走した際に、滑止シートの滑止効果で“ピタッと停止”又は“吸着制動”される作用効果にヒントを得て、発明に至ったのが四角形滑止付ターゲットＴＡの実施例４（２）、及び円形滑止ターゲットＴＡの実施例（１）である。
上記作用効果を活用した構成により、滑走体ＫＴのターゲットＴＡとしてフロアには特に前記特許文献２に記載されている様なホール穴を設けることなく、更に、前記特許文献１に記載されている様な、磁力作用を用いることなく、フロアに恰もホール穴を形成した如き効果が発揮されることを狙いとしたターゲットＴＡである。即ち、滑走体ＫＴがターゲットＴＡに命中滑走された際には、ターゲットＴＡ（滑止シートＳＳ）上に“ピタッと”停止される特徴がある（図２、図８参照）。
【００５９】
◆フロアに敷設貼着するターゲットＴＡの好ましい実施例の説明。
・本願発明のフロア遊具におけるターゲットＴＡの好ましい実施例としては、既に、前記図２ｋと共に実施説明した四角形ＰＶＣシート上の中央部に、円形とした滑止シートＳＳを貼着した２層構造の四角形滑止付ターゲットＴＡの実施例４（２）を用い、再剥離用粘着テープ１ｚで所望のフロアに直接敷設貼着して実施する方法が、目的機能、取扱いの便宜性、コスト等を、総合勘案した際に発明効果が遺憾なく発揮される実施例である(図２、図８の実施例参照)。
・即ち、滑止機能を有する滑止シートＳＳをフロアに直接敷設貼着してターゲットＴＡ（標的）にした場合は、滑走体ＫＴの打撃時に方向性に集中し、少し強気で、オーバー目にショットすることで、高い確率で“ピタッと”ターゲットＴＡ上に停止されるのでゲーム効果が高められ、スポーツ的快感が実感でき、リクリエーション効果も高まる。
【００６０】
・四角形滑止付ターゲットＴＡの実施例４（２）は、フロア所望位置に前記再剥離用粘着テープ１ｚとして、例えば、前記１８ｍｍ幅メンディングテープ１ｚを用いて図２ｋ、又は図８ａの様に、四角形縁部の四辺を上側から直接貼着するには、小学５、６年生２〜３名の生徒の共同作業として指導実施すれば、シート表面に皺を作ること無く貼着する工夫も教育の一環として行える。再剥離用粘着テープ１ｚを用いてフロアに貼着した場合は、繰返し脱着してもフロアを汚したり、テープの剥離跡が残る心配がなく実施ができる。
・ここで、四角形滑止付ターゲットＴＡ実施例４（２）の四辺縁に対し上から合せ貼着する際に用いた再剥離粘着テープ１ｚについて参考記載する。事務用品等として広く市販されている再剥離用粘着テープ１ｚとしては｛例えば、ＣＡＴ．ＮＯ．８１０−３−１８  ３Ｍ  Ｓｃｏｔｃｈ：商標登録／住友スリーエム（株）のメンディングテープ／１８ｍｍ｝を用いて行った際は、繰返し脱着ができて、且つフロアを汚す心配が無く、踏んだり、掃除機を掛けたりしても剥離される恐れがなく、不使用時にも邪魔になる等の不便課題がなく、本願の使用目的に適った製品例である。
・そして、ターゲットＴＡ用の滑止シートＳＳの厚さ：０．５ｍｍ前後の薄手シートの縁部を前記極薄の粘着片面テープで貼着した場合は、フロア４と四角形滑止付ターゲットＴＡ間に若干の段差ができるが、前記再剥離粘着テープ１ｚ（片面粘着）でテーパー状に橋渡し形成されるので、滑走体ＫＴが該繋ぎの段差部を円滑スムースに滑走される大きな特長があり、そして、フロアに如何にもホール穴を形成した如き効果が発揮されるターゲットＴＡとなる。
次に、２層構造とした四角形滑止付ターゲットＴＡの実施例４（２）、及び円形滑止シートＴＡ実施例４の実施例４（１）について図７と共に説明する。
【００６１】
ターゲットＴＡの具体的な実施例として、既に前記図２ｋの四角形滑止付ターゲットＴＡの実施例４（２）、及び図２ｍの円形滑止シートＴＡの実施例４（１）に関し、具体的な実施態様として再剥離粘着テープ１ｚを用いてフロアに敷設貼着した使用態様の実施例４に基づいて前記説明した通りである。
以下、図７を参照しつつ、円形滑止シートＴＡ、及び具体的な四角形滑止付ターゲットＴＡの実施例４（２）について以下に詳細を説明する。
先ず、図７ａ、及び図７ｂは、樹脂素材で加工された滑り止機能を有する滑止シートＳＳを四角形に裁断し、該四角形滑止シート１の表面に対して、例えば、図示の様に油性ペイントマーカー（例えば、株式会社：パイロットコーポレーション製）を用いて、サークル円線１ａ（Φ１５０：赤線）を形成し、該円内に「１×打数」等と記載し、更に必要により、外サークル円線１ｂ（Φ３００：緑線）を形成して該円内に「２×打数」とゲームルールを記載した滑止シートＳＳで形成したターゲットＴＡである。更に、図示の様にフロアゴルフ等の文字をカラーペイトマーカーで記載する（なお、メッシュ形状であっても大文字は十分表示記載ができる）。サイズ的には家庭用：３２０×３２０、体育館用：１０００×１０００として実施している。
【００６２】
さて、図７ａの四角形滑止シート４Ｓは、ＰＶＣ（ポリ塩化ビニール）素材によりメッシュ状に加工され、玄関マット等の下敷き用の滑止シートとしてロール蒔きにした各種製品が市販されている。更に図７ｂの四角形滑止シート４Ｓは、メッシュ状織布に多孔性ポリウレタン被覆を施した面に対し、間圧接着層を形成した滑止シート製品等が市販されており、図７ｂは該滑止シートＳＳを所定寸法の四角形に裁断して、サークル円線や、文字等を記載してターゲットＴＡにした四角形ターゲットＴＡの他の実施例４である。
図７ａ、図７ｂに示した四角形滑止シートＴＡの様に滑止シートＳＳの全面を図２ｋの様にフロアに敷設貼着してターゲットＴＡとした態様で、滑走体ＫＴを強打して勢い良く打撃滑走させた際は、滑止シートＳＳの表面積の大き過ぎや、吸着力の強過ぎに起因（滑止の効き過ぎ）して、滑走体ＫＴが慣性の原理で（滑走体ＫＴの足が取られ、収納ボールが先に飛び出そうとする作用）、横転、又は転倒してしまう課題が発生することもある。
而して、前記滑止シートＳＳの吸着力を適宜加減し、例えば、図７ｂに記載する滑止シート４Ｓの加工成形により、本願の目的仕様に適った滑止シートＳＳの吸着効果を備えた滑止シートに加工することで、前記課題解消を図ることは勿論可能である。
しかし、本願では前記ターゲットＴＡにおける滑止シートＳＳを用いた実施課題に関し、ターゲットＴＡを次の様に形成して前記課題を良好に解消克服したものである。次に円形滑止シーＴＡの実施例４（１）、及び四角形滑止付ターゲットＴＡの実施例４（２）について説明する。
【００６３】
先ず、図７ｃは円形（実施例：Φ１５０）に加工した円形滑止シートＴＡを示す。因みに、実施例の具体的製品は、薄型スベリ止メネットの商品名（例えば、ＰＶＣ製、メッシュ状、グレー色、０．５ｍｍ厚、篠田ゴム株式会社製）で市販されている製品が好適である。図７ｄは再剥離型の両面粘着テープ１ｅ（フロアに直接貼着する際は、再剥離用の両面粘着テープを用いる）をΦ１５０に形成した状態を示し、前記円形滑止シートＥＳの片面側に再剥離両面粘着テープを貼着する。図７ｅは、前記図７ｃ＋図７ｄに合体した態様、表面には１×打数、サークル円線１ａと、手書きで記載するか、又はシルク印刷した態様を示す。
【００６４】
そこで、本願では図７ｃの円形滑止シートＥＳを図７ｅの様にした態様では、円形滑止ターゲットＴＡの実施例４（１）と改称して説明する。
そして、図７ｅの様に形成した円形滑止ターゲットＴＡを用い、フロアに敷設貼着している実施態様を示したのが前記図２ｍにおける円形滑止ターゲットＴＡの実施例４（１）である。本実施例のようにターゲットＴＡを円形形成すると共に、有効面積をΦ１５０程度と小径で実施することで、前記滑走体ＫＴが滑止シートＳＳ面で、横転、転倒のトラブル課題は、前記製品：薄型スベリ止メネットの滑止吸着性能と相まって良好に課題克服が図れるのである。
【００６５】
次に、四角形滑止付ターゲットＴＡの実施例４（２）として、更に改良を加えた好ましいターゲットＴＡについて図７を参照しつつ説明する。
該四角形ＰＶＣシート中央の一部分にのみ滑止シートＳＳを貼着し、所謂、ラミネートにより２層構成としたのが、四角形滑止付ターゲットＴＡの実施例４（２）である。
さて、図７ｆは一般にホームセンター等でテーブルクロス用シートとして市販されているピンク、グレー、グリーン色等、カラフルに加工されたＰＶＣ（塩ビ）製シートを用い、四角形の所定寸法３２０×３２０の正方形に裁断したシート厚さ：０．３〜０．５ｍｍを用いて裁断したのが、四角形ＰＶＣシート４ａである。そして、
そして、図７ｆの前記ＰＶＣシート表面に対し、図示する様に二つのサークル円線１ａ、外サークル円線１ｂ、２×打数、ゲーム名、ルール等をシルク（スクリーン）印刷した状態として示したのが、図７ｆの四角形ＰＶＣシート４ａである。
【００６６】
さて、前記図７ｅの円形滑止ターゲットＴＡの裏面剥離紙を剥離し、双方の円線１ａ（Φ１５０）を合致させて円形滑止ターゲットＴＡを四角形ＰＶＣシート４ａに貼着し、図７ｇの様に（ｄ）＋（ｅ）＋（ｆ）とラミネートした態様が、ラミネートした２層構造の四角形滑止付ターゲットＴＡの実施例４（２）である。
なお、以上の実施例４（２）では、前記２層構造における四角形滑止付ターゲットＴＡの図７ｇの実施例４（２）として、図７ｅの様に円形滑止ターゲットＴＡに印刷した状態のものを図７ｆに貼着する実施例を示したが、予め、図７ｃの円形滑止シートＥＳを両面粘着テープ１ｅでＰＶＣシートに無地の儘で貼着し、四角形ＰＶＣシート４ａと円形滑止シートＥＳとを貼り合せた態様、図７ｇのような状態にシルク印刷すると一層効率的である。
更に、双方の素材は前記した様にＰＶＣ製であり、塩ビ用の設着剤を用いてラミネートと実施すると一層好ましい。
【００６７】
◆次に、本願は勿論ゲーム内容の権利化を意図するものではないが、本願発明の目的や構成の理解の助けとする為、フロアゴルフ、及びカーリングゲームに関して図面と共に以下に参考記載する。
本願発明が目標としてきた代表的ゲームのフロアゴルフＦＧについて、図８ａ、図８ｂを同時参照しつつ、前記３点セットを活用したフロアゴルフＦＧゲームの実施例概要について説明する。
フロアゴルフＦＧは、前記した様に先願の滑走体ＫＴ、本願発明に係わるプッシャーＰＳ、及びターゲットＴＡの３点セットを用い、従来のパターゴルフ形式によりフロアでゴルフゲームが楽しめる様にした新規性を有するフロアゴルフの提案である。
◆フロアゴルフＦＧの実施例要領の概要について、以下に列記説明する。
（１）本フロアゴルフＦＧでは、前記・「滑走体ＫＴ」を用いることを前提に、・ボール式プッシャーＰＳ（実施例１）、・四角形滑止付ターゲットＴＡ（実施例４）の３点セットを用いて実施することが望ましいが、ゲームを楽しむには前記図２で示した各種の打撃方法や滑走ショットで、フロアに敷設したターゲットＴＡを目掛けて滑走体ＫＴを打撃滑走する。
（２）フロアゴルフＦＧの具体的実施例について、図８ａ、図８ｂを同時参照しつつ説明する。図８ａは、例えば、家庭用のターゲットＴＡとしては、前記図２、及び図７で説明した、四角形滑止付ターゲットＴＡ（３２ｃｍ角）を用い、ＴＡ１〜ＴＡ４として２ｍ前後の間隔でフロアの所望位置の四箇所に配置し、図８ａの中央部には拡大見本的に示した四角形滑止付ターゲットＴＡを、再剥離粘着テープ１ｚ（３Ｍ製メンディングテープ）を用いて、上から直接貼着して行う。
【００６８】
（３）スタートは、図８ｂの様に滑走体ＫＴをＴＡ１の端部にセットした態様で、次のＴＡ２を目掛けて、プッシャーＰＳで滑走体ＫＴを打撃滑走し、以下同様に４箇所のＴＡを巡回する。
（４）フロアゴルフＦＧは、所謂、パターゴルフ形式でゲームを実施する。スコア判定の基本は、図８ｂのターゲットＴＡ２上に滑走停止した滑走体ＫＴを真上から見て、ボール位置がサークル円線の内側にあるか、外側にあるかで判定する。例えば、今、ＴＡ２上に停止した４つの滑走体ＫＴの夫々は、サークル円線内１ａは１点、外サーク円線内１ｂは２点としてゲームルールでは、例えば、１番の滑走体ＫＴ：２点、２番の滑走体ＫＴ：１点、３番の滑走体ＫＴ：１点、４番の滑走体ＫＴ：５点（オンしてないのは全て５点）。周知の様にゴルフは点数が少ない方が勝ちとなる。
（５）なお、フロアゴルフＦＧでは図８ａに示すターゲットＴＡに記載する様に、サークル円線１ａの円内は円形滑止シート１ａであり１×打数と記載してある。滑走体ＫＴが該円内を１打で命中滑走すると、滑止シートで吸着されてホールインワンゲットとなる。
（６）フロアゴルフＦＧには、２通りのゲーム方法がある。ルール１では、１×打数、２×打数は１打目にオンしない場合に、サークル円内に乗るまでの打数を掛け合わせてスコアを掛け算式にカウントすることを意味する。ルール２は、ホール毎に一打の打撃勝負とする形式である。なお、ルール１、又はルール２でゲームするかは、プレーヤーがローカルルールで決めればよい。
【００６９】
（７）因みに、図８ｂの滑走体ＫＴは滑走体ＫＴがターゲットＴＡ２のサークル円線内に“ピタッと”ホールインワン停止された情況を示している。即ち、ショットした滑走体ＫＴが適宜のスピードでオンライン上を滑走し、ターゲットＴＡに命中した際は、滑走体ＫＴの底面摺動部が滑止シートＳＳに吸着されるのでホールインワンゲットとなる。
以上を予備知識として、前記した本願３点セットを用いたフロアゴルフＦＧの具体的実施例について、次に更に説明する。
そこで、前記３点セットを用いた（１）フロアゴルフＦＧ、（２）カーリングゲーム例の基本ルールの概要について以下に簡単に列記説明する。
【００７０】
◆フロアゴルフＦＧのゲーム方法の概要について説明する。
プレーヤー：２〜４人が、各自色違いの収納カラーボール１個宛の滑走体ＫＴを用い、前記図８ｂの様に各ターゲットＴＡ枠内に滑走体ＫＴをセットし、家庭用では図８ａの様にフロアの四箇所に２ｍ前後で離間配設して貼着形成したＴＡ１〜ＴＡ４の各ターゲットＴＡに対し、ホールインワンを目指して、順次スタートショットする。
フロアゴルフＦＧでは、９Ｈ（ホール）ラウンドする順序は、例えば図８ａに示す様に（往路・白矢印右回り）ＴＡ１⇒ＴＡ２⇒ＴＡ３⇒ＴＡ４⇒ＴＡ１（復路・黒矢印左回り）⇒ＴＡ４⇒ＴＡ３⇒ＴＡ２⇒ＴＡ１⇒（対角ホール）ＴＡ３：９Ｈのホールアウトである。
更に、後半の９Ｈを回り、計１８Ｈをラウンドする場合は、ＴＡ３⇒ＴＡ２⇒ＴＡ１⇒ＴＡ４⇒ＴＡ３（折返し）⇒ＴＡ４⇒ＴＡ１⇒ＴＡ２⇒ＴＡ３⇒（対角ホール）ＴＡ１：計１８Ｈのホールアウト終了である。
【００７１】
◆カーリングゲーム形式の概要について説明する。
図８ａの様に配設した４個のターゲットＴＡ配置の儘、図８ｃに示す様に滑走体ＫＴをストーン、ターゲットＴＡをハウスに見立てて、例えば、２人のプレーヤーが夫々５個宛の滑走体ＫＴ（ストーン）を用い、カーリング形式で４箇所のハウスを移動し乍スコアを競うゲームである。なお、カーリング形式のゲーム時もターゲットＴＡ（ハウス代用）を、その儘、スコアシートを標的として用い、ＴＡ上の記載点数を、例えば、「１×打数」エリアを→１０点、「２×打数」エリアを→２点としてカウントするか、センターに近い方のストーンを勝ちとして、前記（１）のフロアゴルフＦＧに準じて、１Ｈ〜１８Ｈを移動し乍カーリング形式でゲームをしたり、トータルスコアを競う等、色々なゲーム形式で楽しむことが考えられる。
【実施例５】
【００７２】
因みに、インターネットの検索画面に「ぺタボード  キュー」と入力検索すると、「ぺタボード基本セット」として、図９ａに示したキュー２０、ディスク２３と称する用具の紹介や、ゲームの画面が掲載されている。
そして、ぺタボードゲームは静岡県浜松市で発祥したとされ、同県の広域スポーツセンターや、同県レクレーション協会等ではぺタボード用具のレンタル等も行われ、普及活動が活発に行われている模様である。学童や高齢者達が体育館等でぺタボードゲームを行っている様子や、夏休みには、小学生達の大会が開催されている様子等がインターネットで紹介されている。
本願発明の前記ターゲットＴＡ（滑止シートＳＳ）、及びプッシャーＰＳの遊具は、従来から実施されている図９ａ〜図９ｃに概要を示す様なぺタボードの如き、フロアゲーム遊具等と相互乗り入れして、併用実施した場合にも十分効果を発揮することが期待できる。例えば、図９ａのゲットサークルと称するゲームは、湾曲状フェース２２の木製キュー２０で、ゲットサークル用の標的を目掛けてディスク２３（木製）を押出し、スコアを競うフロアゲームであるが、例えば、ぺタボード遊具の図９ａゲットサークルに対して、本発明で形成した滑止シートをラミネート貼着した態様が図９ａのセンターサークルである。
即ち、摺動面が平坦面で形成されたディスク２３（滑走体）に対し、充分に吸着効果が発揮され“ピタッと”と停止されるので本願が狙いとする発明効果が十分発揮されるのである。
【００７３】
なお、図９ａ〜図９ｄの各図は、前記ぺタボードにおけるカタログを参照して本願の滑止シートＳＳや、プッシャーＰＳ構成部品を用いて併記した実施例５を夫々示す。
本願発明の前記主構成遊具を、ぺタボードと併用実施した際の、ゲーム性の付加価値、ゲーム効果を一層高めることが期待できのである。
因みに、ぺタボード遊具に対して本願発明の滑止シートＳＳを用いたターゲットＴＡを併用実施した構成例について簡単に説明すると、図９ｂのマッチスコア一Ａ、図９ｃのマッチスコア一Ａの各ターゲット用のシートに対して、前記図９ａにおけると同様、本願の滑止シートＳＳを部分的に各図面中に、メッシュ状に図形表示した部分が滑止シートＳＳを貼り合せた領域部分を示す。
なお、現在実施されているぺタボードゲーム用のターゲットには、勿論、滑止シートＳＳは用いられてないが、図示のように一部分に滑止シートをラミネート貼着すると、一層、ゲーム効果を高めることが十分に期待できるのである。
更に、図９ｃは本願のプッシャーＰＳを用いてディスク２３をプッシュしている態様を示すが、此方が実際に、ディスク２３のモデルを試作して実験した結果では充分好適に、初期の機能目的が果せること確証したのである。
【００７４】
最後に、図９ｄに示すテーブルカーリング形式のゲーム内容のものが、インターネットで検索できる。インターネット上に紹介されているテーブルカーリングゲームに対し、滑止シートＳＳを備えターゲットＴＡをハウスに併用実施した適用例について、図９ｄに基づいて簡単に参考説明する。
ここでは、ストーン２７を滑走体ＫＴ、ハウス２９をターゲットＴＡと見做してテーブルカーリングを実施することが考えられる。
ハウス２９に対して滑止シートＳＳを部分的に敷設貼着して用いると、ストーンに対しても滑止シートＳＳの吸着効果が十分発揮されるので、ゲーム効果が一層高められて楽しめものと期待する。
【符号の説明】
【００７５】
ＫＴ    滑走体ＫＴ
ＰＳ    プッシャー
ＥＳ    円形滑止シート
ＴＡ    ターゲット  四角形滑止付シート  円形滑止シート
ＳＳ    滑止シート
ＦＧ    フロアゴルフ
ｇ４    球面間の谷間部
Ｒ４    ローラーの谷間部
ｇｂ    ゴルフボール
４ａ    四角形ＰＶＣシート
４ｓ    四角形滑止シート
１ａ    サークル円線
１ｚ    再剥離粘着テープ
６ａ    スライダー
６ｂ    底面摺動部
【要約】      （修正有）【課題】ボール組立体を滑走体として活用し、滑走体をフロアで打撃滑走させるためのプッシャー、及びターゲット、滑走体の３点セットを提供する。【解決手段】ゴルフボール組立体は、フロアでのボール転がりを１／１０以下に制動する等のゲーム用に好適な滑走体ＫＴであって、更に滑走体ＫＴを用いて実際にフロア競技やフロアゲームを実現するため、必要不可欠のプッシャーＰＳ、ターゲットＴＡを備える。そして、滑走体ＫＴ、プッシャーＰＳ、ターゲットＴＡの３点セットにより、家庭、体育館、老人ホーム、施設、避難所等のフロアで老若男女が体を動かし、心身をリフレッシュしつつ、手軽に楽しめるユニークな各種フロア遊技・フロアゲームを行う。【選択図】図２【図１】
0005513667.tif 000002
【図２】
0005513667.tif 000003
【図３】
0005513667.tif 000004
【図４】
0005513667.tif 000005
【図５】
0005513667.tif 000006
【図６】
0005513667.tif 000007
【図７】
0005513667.tif 000008
【図８】
0005513667.tif 000009
【図９】
0005513667.tif 000010
【図１０】
0005513667.tif 000011